(57)【要約】【課題】輝度ムラを抑制する。【解決手段】バックライト装置（照明装置）１２は、光を出射させる光出射部１４ｂを有するシャーシ１４と、シャーシ１４内に収容され、長手状をなす発光体２３を有していて光出射部１４ｂに向けて発せられる光の配光分布に異方性を有するＬＥＤ（光源）１７と、ＬＥＤ１７に対して光出射部１４ｂ側に配され、ＬＥＤ１７からの光に、ＬＥＤ１７に係る配光分布を発光体２３の長さ方向と交差する方向について補完するよう相補的な光学作用を付与して光を出射させる光学部材である付形拡散板１５ａと、を備える。【選択図】図７
2013152811.tif 000002
【特許請求の範囲】
【請求項１】
光を出射させる光出射部を有するシャーシと、
前記シャーシ内に収容され、長手状をなす発光体を有していて前記光出射部に向けて発せられる光の配光分布に異方性を有する光源と、
前記光源に対して前記光出射部側に配され、前記光源からの光に、前記光源に係る前記配光分布を前記発光体の長さ方向と交差する方向について補完するよう相補的な光学作用を付与して光を出射させる光学部材と、を備える照明装置。
【請求項２】
前記光学部材は、前記光源からの光に前記発光体の長さ方向と交差する方向について選択的に集光作用を付与する選択性集光部を有している請求項１記載の照明装置。
【請求項３】
前記選択性集光部は、前記発光体の長さ方向に沿って延在する形状とされ且つ複数が前記発光体の長さ方向と直交する方向に沿って並んで配されるプリズムからなる請求項２記載の照明装置。
【請求項４】
前記発光体は、その長さ方向に沿って並ぶ複数の発光素子からなり、
前記選択性集光部は、前記光源からの光に前記発光素子の並び方向と交差する方向について選択的に集光作用を付与している請求項２または請求項３記載の照明装置。
【請求項５】
前記シャーシは、前記光出射部とは反対側に配される底板を有しており、
前記光源は、前記底板の板面内において複数が互いに前記配光分布を揃えた姿勢で並んで配されている請求項１から請求項４のいずれか１項に記載の照明装置。
【請求項６】
前記シャーシは、前記光出射部とは反対側に配される底板を有しており、
複数の前記光源が互いに前記配光分布を揃えた姿勢で実装されるとともに前記底板に沿って延在する形で配される光源基板を備えている請求項１から請求項５のいずれか１項に記載の照明装置。
【請求項７】
前記光源は、前記シャーシ内において複数が並んで配されており、
前記光学部材は、前記光出射部を覆う形で配される面状光学部材とされる請求項１から請求項６のいずれか１項に記載の照明装置。
【請求項８】
前記面状光学部材は、前記光源からの光を拡散させる光拡散性基材部と、前記光拡散性基材部の表面に形成されるとともに前記光源からの光に前記発光体の長さ方向と交差する方向について選択的に集光作用を付与する選択性集光部とを有する請求項７記載の照明装置。
【請求項９】
前記面状光学部材は、前記光源からの光を透過させる光透過性基材部と、前記光透過性基材部の表面に形成されるとともに前記光源からの光に前記発光体の長さ方向と交差する方向について選択的に集光作用を付与する選択性集光部とを有する請求項７または請求項８記載の照明装置。
【請求項１０】
前記選択性集光部は、前記光源からの光を集光させる方向である集光方向と直交する方向に沿って前記面状光学部材の全長にわたって延在するとともに、前記集光方向に沿って複数が並んで配されるプリズムからなる請求項８または請求項９記載の照明装置。
【請求項１１】
前記光源は、前記シャーシ内において複数が並んで配されており、
前記光学部材は、前記光源を前記光出射部側から個別に覆う形で配される複数のレンズ部材とされる請求項１から請求項１０のいずれか１項に記載の照明装置。
【請求項１２】
請求項１から請求項１１のいずれか１項に記載の照明装置と、前記照明装置からの光を利用して表示を行う表示パネルとを備える表示装置。
【請求項１３】
前記表示パネルは、一対の基板間に液晶を封入してなる液晶パネルとされる請求項１２記載の表示装置。
【請求項１４】
請求項１２または請求項１３に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、シャーシ内に配されて光をシャーシの開口部側に反射させる反射シートと、シャーシの開口部に配されて光源が発する光を効率的に液晶パネル側へ放出させるための光学部材（拡散シート等）とを備える。このようなバックライト装置の光源としてＬＥＤを用いたものが、下記特許文献１に記載されている。
【先行技術文献】
【特許文献】
【０００３】
【特許文献１】特開２００６−３１０３１９号公報
【発明の概要】
【発明が解決しようとする課題】
【０００４】
ところで、ＬＥＤとして、その配光分布に異方性を有するものをバックライト装置の光源として用いた場合には、バックライト装置の出射光に輝度ムラが生じることが懸念され、その対応に苦慮していた。
【０００５】
本発明は上記のような事情に基づいて完成されたものであって、輝度ムラを抑制することを目的とする。
【課題を解決するための手段】
【０００６】
本発明の照明装置は、光を出射させる光出射部を有するシャーシと、前記シャーシ内に収容され、長手状をなす発光体を有していて前記光出射部に向けて発せられる光の配光分布に異方性を有する光源と、前記光源に対して前記光出射部側に配され、前記光源からの光に、前記光源に係る前記配光分布を前記発光体の長さ方向と交差する方向について補完するよう相補的な光学作用を付与して光を出射させる光学部材と、を備える。
【０００７】
このようにすれば、シャーシ内に収容された光源から発せられた光は、光学部材により所定の光学作用を付与された後にシャーシの光出射部から外部へと出射される。光源は、長手状をなす発光体を有しているため、その配光分布に異方性を有しており、発光体の長さ方向と交差する方向について発光強度が不足しがちとなっている。これに対し、光源から発せられた光には、光学部材によって光源に係る配光分布を発光体の長さ方向と交差する方向について補完するよう相補的な光学作用が付与されるので、光出射部からの出射光に係る配光分布を等方化することができる。これにより、出射光に輝度ムラが生じ難くすることができる。
【０００８】
本発明の実施態様として、次の構成が好ましい。
（１）前記光学部材は、前記光源からの光に前記発光体の長さ方向と交差する方向について選択的に集光作用を付与する選択性集光部を有している。このようにすれば、光源から発せられた光のうち発光体の長さ方向と交差する方向に向かう光には、光学部材が有する選択性集光部によって選択的に集光作用が付与されてから出射される。この光学部材からの出射光のうち発光体の長さ方向と交差する方向に向かう光は、集光作用が付与されるのに伴って、一定以上の輝度が得られる出光範囲が拡張されている。これにより、光学部材からの出射光のうち発光体の長さ方向に向かう光と同長さ方向と交差する方向に向かう光とで、一定以上の輝度が得られる出光範囲に差が生じ難くなり、もって出射光の等方化が図られる。
【０００９】
（２）前記選択性集光部は、前記発光体の長さ方向に沿って延在する形状とされ且つ複数が前記発光体の長さ方向と直交する方向に沿って並んで配されるプリズムからなる。このようにすれば、光源からの光のうち発光体の長さ方向と交差方向に向かう光には、選択性集光部である、発光体の長さ方向に沿って延在する形状のプリズムによって選択的に集光作用が付与される。そして、選択性集光部を構成するプリズムは、発光体の長さ方向と直交する方向に沿って複数が並んで配されているから、光源からの光をより効率的に集光することができ、それにより出射光に輝度ムラをより生じ難くさせることができる。
【００１０】
（３）前記発光体は、その長さ方向に沿って並ぶ複数の発光素子からなり、前記選択性集光部は、前記光源からの光に前記発光素子の並び方向と交差する方向について選択的に集光作用を付与している。このようにすれば、発光体が複数の発光素子からなるものとされるから、その発光効率が高くなるとともに放熱設計が容易なものとなる。光源から発せられた光のうち発光素子の並び方向と交差する方向に向かう光には、光学部材が有する選択性集光部によって選択的に集光作用が付与されてから出射される。この光学部材からの出射光のうち発光素子の並び方向と交差する方向に向かう光は、集光作用が付与されるのに伴って、一定以上の輝度が得られる出光範囲が拡張されている。これにより、光学部材からの出射光のうち発光素子の並び方向に向かう光と発光素子の並び方向と交差する方向に向かう光とで、一定以上の輝度が得られる出光範囲に差が生じ難くなり、もって出射光の等方化が図られる。
【００１１】
（４）前記シャーシは、前記光出射部とは反対側に配される底板を有しており、前記光源は、前記底板の板面内において複数が互いに前記配光分布を揃えた姿勢で並んで配されている。このようにすれば、底板の板面内に並んで配される複数の光源は、互いに配光分布を揃えた姿勢とされているから、仮に姿勢が異なる光源を含ませた場合に比べると、光源の設置に係るコストを低減させることができる。また、複数の光源が、互いに配光分布を揃えた姿勢とされていても、各光源から発せられた光には、光学部材によって光源に係る配光分布を発光体の長さ方向と交差する方向について補完するよう相補的な光学作用が付与されるから、光出射光からの出射光が好適に等方化される。
【００１２】
（５）前記シャーシは、前記光出射部とは反対側に配される底板を有しており、複数の前記光源が互いに前記配光分布を揃えた姿勢で実装されるとともに前記底板に沿って延在する形で配される光源基板を備えている。このようにすれば、光源基板に実装される複数の光源は、互いに配光分布を揃えた姿勢とされているから、仮に姿勢が異なる光源を含ませた場合に比べると、光源基板に係る製造コストを低減させることができる。また、複数の光源が、互いに配光分布を揃えた姿勢とされていても、各光源から発せられた光には、光学部材によって光源に係る配光分布を発光体の長さ方向と交差する方向について補完するよう相補的な光学作用が付与されるから、光出射光からの出射光が好適に等方化される。
【００１３】
（６）前記光源は、前記シャーシ内において複数が並んで配されており、前記光学部材は、前記光出射部を覆う形で配される面状光学部材とされる。このようにすれば、シャーシ内において並んで配された複数の光源から光出射部に向けて発せられた光には、光出射部を覆う形で配される面状光学部材によって各光源に係る配光分布を発光体の長さ方向と交差する方向について補完するよう相補的な光学作用が付与されることで、光出射部からの出射光に係る配光分布を良好に等方化することができる。面状光学部材によってシャーシ内の複数の光源から光に光学作用を付与することができるので、仮に各光源毎に個別に光学部材を設置した場合に比べると、低コスト化を図ることができる。
【００１４】
（７）前記面状光学部材は、前記光源からの光を拡散させる光拡散性基材部と、前記光拡散性基材部の表面に形成されるとともに前記光源からの光に前記発光体の長さ方向と交差する方向について選択的に集光作用を付与する選択性集光部とを有する。このようにすれば、面状光学部材が有する光拡散性基材部により光源からの光を拡散させるとともに、選択性集光部により光源からの光を発光体の長さ方向と交差する方向について選択的に集光することで、光源からの光には、光源に係る配光分布を補完するよう相補的な光学作用が付与される。
【００１５】
（８）前記面状光学部材は、前記光源からの光を透過させる光透過性基材部と、前記光透過性基材部の表面に形成されるとともに前記光源からの光に前記発光体の長さ方向と交差する方向について選択的に集光作用を付与する選択性集光部とを有する。このようにすれば、面状光学部材が有する光透過性基材部により光源からの光を透過させるとともに、選択性集光部により光源からの光を発光体の長さ方向と交差する方向について選択的に集光することで、光源からの光には、光源に係る配光分布を補完するよう相補的な光学作用が付与される。
【００１６】
（９）前記選択性集光部は、前記光源からの光を集光させる方向である集光方向と直交する方向に沿って前記面状光学部材の全長にわたって延在するとともに、前記集光方向に沿って複数が並んで配されるプリズムからなる。このようにすれば、各光源からの光には、選択性集光部である、集光方向と直交する方向に沿って延在する形状のプリズムによって選択的に集光作用が付与される。そして、選択性集光部を構成するプリズムは、集光方向と直交する方向に沿って面状光学部材の全長にわたって延在するとともに、集光方向に沿って複数が並んで配されているから、各光源からの光をより効率的に集光することができ、それにより出射光に輝度ムラをより生じ難くさせることができる。
【００１７】
（１０）前記光源は、前記シャーシ内において複数が並んで配されており、前記光学部材は、前記光源を前記光出射部側から個別に覆う形で配される複数のレンズ部材とされる。このようにすれば、シャーシ内において並んで配された複数の光源を、光出射部側から個別に覆う形で配されるレンズ部材によって各光源からの光に、各光源に係る配光分布を発光体の長さ方向と交差する方向について補完するよう相補的な光学作用がそれぞれ付与されることで、光出射部からの出射光に係る配光分布を良好に等方化することができる。
【００１８】
次に、上記課題を解決するために、本発明の表示装置は、上記記載の照明装置と、前記照明装置からの光を利用して表示を行う表示パネルとを備える。
【００１９】
このような表示装置によると、表示パネルに対して光を供給する照明装置が、出射光に輝度ムラを生じさせ難いものであるため、表示品質の優れた表示を実現することが可能となる。
【００２０】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２１】
本発明によれば、輝度ムラを抑制することができる。
【図面の簡単な説明】
【００２２】
【図１】本発明の実施形態１に係るテレビ受信装置の概略構成を示す分解斜視図
【図２】テレビ受信装置が備える液晶表示装置の概略構成を示す分解斜視図
【図３】液晶表示装置に備わるシャーシにおけるＬＥＤ基板及び反射シートの配置構成を示す平面図
【図４】液晶表示装置の短辺方向に沿った断面構成を示す断面図
【図５】液晶表示装置の長辺方向に沿った断面構成を示す断面図
【図６】行列状に並列されたＬＥＤの配置構成を示す平面図
【図７】図６のvii-vii線断面図
【図８】図６のviii-viii線断面図
【図９】付形拡散板の斜視図
【図１０】付形拡散板の平面図
【図１１】ＬＥＤの配光分布を示すグラフ
【図１２】付形拡散板におけるＬＥＤと同心状をなす部分からの出射光に係る輝度分布を示すグラフ
【図１３】本発明の実施形態２に係るプリズムシートとＬＥＤとの配置構成を示す断面図
【図１４】本発明の実施形態３に係るレンズ部材及びＬＥＤの平面図
【図１５】レンズ部材及びＬＥＤの断面図
【図１６】本発明の実施形態４に係るレンズ部材及びＬＥＤの平面図
【図１７】レンズ部材及びＬＥＤの断面図
【図１８】本発明の実施形態５に係るレンズ部材及びＬＥＤの平面図
【図１９】レンズ部材からの出射光に係る輝度分布を示すグラフ
【図２０】本発明の実施形態６に係る付形拡散板の斜視図
【図２１】付形拡散板とＬＥＤとの配置構成を示す断面図
【図２２】本発明の実施形態７に係る行列状に並列されたＬＥＤの配置構成を示す平面図
【図２３】付形拡散板の平面図
【図２４】図２１のxxiv-xxiv線断面図
【図２５】図２１のxxv-xxv線断面図
【図２６】本発明の実施形態８に係る行列状に並列されたＬＥＤの配置構成を示す平面図
【図２７】図２５のxxvii-xxvii線断面図
【図２８】図２５のxxviii-xxviii線断面図
【図２９】本発明の実施形態９に係る行列状に並列されたＬＥＤの配置構成を示す平面図
【図３０】本発明の実施形態１０に係るＬＥＤ及びＬＥＤ基板の配置構成を示す平面図
【発明を実施するための形態】
【００２３】
＜実施形態１＞
本発明の実施形態１を図１から図１２によって説明する。本実施形態では、液晶表示装置１０について例示する。なお、各図面の一部にはＸ軸、Ｙ軸及びＺ軸を示しており、各軸方向が各図面で示した方向となるように描かれている。また、図４及び図５に示す上側を表側とし、同図下側を裏側とする。
【００２４】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長（長手）の方形状（長方形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２５】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００２６】
続いて、バックライト装置１２について詳しく説明する。バックライト装置１２は、図２に示すように、表側（光出射側、液晶パネル１１側）に開口する光出射部１４ｂを有した略箱型をなすシャーシ１４と、シャーシ１４の光出射部１４ｂを覆うようにして配される面状光学部材（光学部材）１５と、シャーシ１４の外縁部に沿って配され面状光学部材１５の外縁部をシャーシ１４との間で挟んで保持するフレーム１６とを備える。さらに、シャーシ１４内には、光源であるＬＥＤ（Light Emitting Diode：発光ダイオード）１７と、ＬＥＤ１７が実装されたＬＥＤ基板１８と、シャーシ１４内の光を表側（光出射側、面状光学部材１５側）に反射させる反射シート１９とが備えられる。このように、本実施形態に係るバックライト装置１２は、シャーシ１４内において液晶パネル１１及び面状光学部材１５の直下位置にＬＥＤ１７が配された、いわゆる直下型とされる。以下では、バックライト装置１２の各構成部品について詳しく説明する。
【００２７】
シャーシ１４は、例えばアルミニウム板や電気亜鉛めっき綱板（ＳＥＣＣ）などの金属板からなり、図３から図５に示すように、液晶パネル１１と同様に横長な方形状（矩形状、長方形状）をなす底板１４ａと、底板１４ａの各辺（一対の長辺及び一対の短辺）の外端からそれぞれ表側（光出射側）に向けて立ち上がる側板１４ｃと、各側板１４ｃの立ち上がり端から外向きに張り出す受け板１４ｄとからなり、全体としては表側に向けて開口した浅い略箱型（略浅皿状）をなしている。シャーシ１４は、その長辺方向がＸ軸方向と一致し、短辺方向がＹ軸方向と一致している。シャーシ１４における底板１４ａは、ＬＥＤ基板１８に対して裏側、つまりＬＥＤ１７の光出射側とは反対側に配されている。シャーシ１４における各受け板１４ｄには、表側からフレーム１６及び次述する面状光学部材１５が載置可能とされる。各受け板１４ｄには、フレーム１６がねじ止めされている。
【００２８】
面状光学部材１５は、図２に示すように、液晶パネル１１及びシャーシ１４と同様に平面に視て横長の方形状をなしている。面状光学部材１５は、図４及び図５に示すように、その外縁部が受け板１４ｄに載せられることで、シャーシ１４の光出射部１４ｂを全域にわたって覆うとともに、液晶パネル１１とシャーシ１４内のＬＥＤ１７との間に介在して配される。面状光学部材１５は、ＬＥＤ１７に対して表側、つまり光出射側に所定の間隔を空けて対向状をなしている。面状光学部材１５は、裏側（ＬＥＤ１７側、光出射側とは反対側）に配される付形拡散板１５ａと、表側（液晶パネル１１側、光出射側）に配される光学シート１５ｂとから構成される。なお、付形拡散板１５ａの構成については後に詳しく説明する。
【００２９】
光学シート１５ｂは、付形拡散板１５ａと比べると板厚が薄いシート状をなしており、３枚が積層して配されている。具体的には、光学シート１５ｂは、裏側（付形拡散板１５ａ側）から順に、拡散シート１５ｂ１、プリズムシート（レンズシート）１５ｂ２、及び反射型偏光シート１５ｂ３からなるものとされる。なお、３枚の各シート１５ｂ１，１５ｂ２，１５ｂ３は、平面に視た大きさがほぼ同じ程度とされている。このうち、最も裏側に配される拡散シート１５ｂ１は、ほぼ透明な（透光性に優れた）合成樹脂製でシート状の光透過性基材部内に拡散粒子を多数分散して設けた構成とされ、透過する光を拡散させる機能を有する。積層方向（Ｚ軸方向）について中央に配されるプリズムシート１５ｂ２は、ほぼ透明な合成樹脂製でシート状の光透過性基材部と、光透過性基材部における板面に積層して形成されるプリズム部（図示せず）とから構成されており、透過光に対して集光作用を付与することが可能とされる。最も表側（液晶パネル１１側）に配される反射型偏光シート１５ｂ３は、例えば屈折率の互いに異なる層を交互に積層した多層構造を有しており、ＬＥＤ１７からの光のうちｐ波を透過させ、ｓ波を裏側へ反射させる構成とされる。裏側に戻されたｓ波は、後述する反射シート１９などによって表側に反射されることでｓ波とｐ波に分離されてから再び反射型偏光シート１５ｂ３へと向かって出射光として利用されるので、光の利用効率（輝度）に優れる。
【００３０】
フレーム１６は、図２に示すように、液晶パネル１１及び面状光学部材１５の外周縁部に沿う枠状をなしている。このフレーム１６と各受け板１４ｄとの間で面状光学部材１５における外縁部を挟持可能とされている（図４及び図５）。また、このフレーム１６は、液晶パネル１１における外縁部を裏側から受けることができ、表側に配されるベゼル１３との間で液晶パネル１１の外縁部を挟持可能とされる（図４及び図５）。
【００３１】
次に、ＬＥＤ１７及びＬＥＤ１７が実装されるＬＥＤ基板１８について説明する。ＬＥＤ１７は、ＬＥＤ基板１８上に表面実装されるとともにその発光面１７ａがＬＥＤ基板１８側とは反対側を向いた、いわゆる頂面発光型とされており、その光軸がＺ軸方向、つまり液晶パネル１１の表示面（面状光学部材１５の板面）と直交する方向と一致している。なお、ＬＥＤ１７の詳しい構成及びその配光分布に関しては後に詳しく説明する。また、ここで言う「光軸」とは、ＬＥＤ１７における発光光のうち、発光強度が最も高い（ピークとなる）光の進行方向と一致する軸のことである。
【００３２】
ＬＥＤ基板１８は、図３から図５に示すように、縦長な方形状（矩形状、長方形状）をなしており、長辺方向がＹ軸方向と一致し、短辺方向がＸ軸方向と一致する状態でシャーシ１４内において底板１４ａに沿って延在しつつ収容されている。ＬＥＤ基板１８の基材は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。なお、ＬＥＤ基板１８の基材に用いる材料としては、セラミックなどの絶縁材料を用いることも可能である。このＬＥＤ基板１８の基材の板面のうち、表側を向いた板面（面状光学部材１５側を向いた板面）には、上記した構成のＬＥＤ１７が表面実装されており、ここが実装面１８ａとされる。ＬＥＤ１７は、ＬＥＤ基板１８の実装面１８ａの面内において複数ずつ行列状（マトリクス状、碁盤目状）に並列して配されるとともに、配線パターンによって相互が電気的に接続されている。具体的には、ＬＥＤ基板１８の実装面１８ａ上には、その短辺方向（Ｘ軸方向）に沿って４個（偶数個）ずつ、長辺方向（Ｙ軸方向）に沿って１２個（偶数個）ずつのＬＥＤ１７が行列状に並列配置されている。ＬＥＤ基板１８における各ＬＥＤ１７の配列ピッチは、ほぼ一定とされ、詳しくはＸ軸方向（行方向）及びＹ軸方向（列方向）についてそれぞれほぼ等間隔に配列されている。
【００３３】
上記した構成のＬＥＤ基板１８は、図３に示すように、シャーシ１４内においてＸ軸方向に沿って複数枚が互いに長辺方向及び短辺方向を揃えた状態で並列して配置されている。具体的には、ＬＥＤ基板１８は、シャーシ１４内においてＸ軸方向に沿って５枚並んで配されており、その並び方向がＸ軸方向と一致している。Ｘ軸方向に並ぶＬＥＤ基板１８の配列ピッチは、ほぼ一定となっており、隣り合うＬＥＤ基板１８においてＸ軸方向について端寄りに配されるとともに互いに隣り合うＬＥＤ１７の配列ピッチが、各ＬＥＤ基板１８におけるＬＥＤ１７の配列ピッチと概ね同じ程度となるように設定されている。つまり、シャーシ１４の底板１４ａの面内においてＬＥＤ１７は、Ｘ軸方向（行方向）及びＹ軸方向（列方向）についてそれぞれほぼ等間隔となるよう行列状に並列配置されていると言える。具体的には、ＬＥＤ１７は、シャーシ１４の底板１４ａの面内においてその長辺方向（Ｘ軸方向）に沿って２０個ずつ、短辺方向（Ｙ軸方向）に沿って１２個ずつが行列状に並列配置されている。これらのＬＥＤ１７群の全てに対して、シャーシ１４の光出射部１４ｂを覆う形で配された面状光学部材１５は、所定の間隔を空けつつ対向状に配されている。なお、各ＬＥＤ基板１８には、図示しない配線部材が接続されるコネクタ部が設けられており、配線部材を介して図示しないＬＥＤ駆動基板（光源駆動基板）から駆動電力が供給されるようになっている。
【００３４】
反射シート１９は、合成樹脂製とされ、表面が光の反射性に優れた白色を呈するものとされる。反射シート１９は、図３から図５に示すように、シャーシ１４の内面のほぼ全域にわたって敷設される大きさを有しているので、シャーシ１４内に配されたＬＥＤ基板１８をほぼ全域にわたって表側（光出射側、面状光学部材１５側）から覆うことが可能とされる。この反射シート１９によりシャーシ１４内の光を表側（光出射側、面状光学部材１５側）に向けて反射させることができるようになっている。反射シート１９は、ＬＥＤ基板１８（底板１４ａ）に沿って延在するとともに各ＬＥＤ基板１８を一括してそのほぼ全域を覆う大きさの底部１９ａと、底部１９ａの各外端から表側に立ち上がるとともに底部１９ａに対して傾斜状をなす４つの立ち上がり部１９ｂと、各立ち上がり部１９ｂの外端から外向きに延出するとともにシャーシ１４の受け板１４ｄに載せられる延出部１９ｃとから構成されている。この反射シート１９の底部１９ａが各ＬＥＤ基板１８における表側の面、つまりＬＥＤ１７の実装面１８ａに対して表側に重なるよう配される。また、反射シート１９の底部１９ａには、各ＬＥＤ１７と平面視重畳する位置に各ＬＥＤ１７を個別に挿通するＬＥＤ挿通孔（光源挿通孔）１９ｄが開口して設けられている。このＬＥＤ挿通孔１９ｄは、各ＬＥＤ１７の配置に対応してＸ軸方向及びＹ軸方向について行列状（マトリクス状）に複数が並列配置されている。
【００３５】
ここで、ＬＥＤ１７の詳しい構成及びその配光分布について説明する。ＬＥＤ１７は、図７及び図８に示すように、発光源であるＬＥＤ素子（ＬＥＤチップ、発光素子）２０と、ＬＥＤ素子２０からの光によって励起されることで発光する蛍光体を含有する封止材（透光性樹脂材料）２１と、ＬＥＤ素子２０が封止材２１により封止された状態で実装される基板部２２とからなる。このＬＥＤ１７は、ＬＥＤ素子２０を封止する封止材２１が略半球型（ドーム型）に形成され、その封止材２１における半球状の表面である発光面１７ａから発せられる出射光が放射状に拡散されるようになっている。以下、図７及び図８を参照しつつＬＥＤ１７の構成部位について順次に詳しく説明する。なお、図７及び図８では、ＬＥＤ１７における有効発光範囲、つまり一定以上の輝度が得られる発光光の拡散角度範囲を一点鎖線により図示している。
【００３６】
ＬＥＤ素子２０は、例えばＩｎＧａＮ系の材料からなる半導体であり、順方向に電圧が印加されることで発光するものとされる。ＬＥＤ素子２０は、その発光光における主発光波長が青色の波長領域（約４２０ｎｍ〜約４８０ｎｍ）に存しており、青色光を単色発光する青色ＬＥＤ素子であると言える。ＬＥＤ素子２０の主発光波長は、４４０ｎｍ〜４６０ｎｍの範囲とされるのがより好ましく、具体的には例えば４５１ｎｍとされる。
【００３７】
封止材２１は、ほぼ透明な熱硬化性樹脂材料からなるものとされ、具体的にはエポキシ樹脂材料やシリコーン樹脂材料などからなる。封止材２１は、ＬＥＤ１７の製造工程ではＬＥＤ素子２０が実装された基板部２２上に充填されることで、ＬＥＤ素子２０を封止するとともにその保護を図るものとされる。この封止材２１には、次述する蛍光体が分散配合されており、蛍光体を保持する分散媒（バインダ）として機能する。
【００３８】
蛍光体は、ＬＥＤ素子２０からの光（青色光）によって励起されることで、所定の波長領域に存する光を発光するものであり、本実施形態に係るＬＥＤ１７においては蛍光体として発光光（蛍光）における主発光波長が互いに異なる２種類のもの（次述する第１の蛍光体及び第２の蛍光体）が用いられている。具体的には、第１の蛍光体は、ＬＥＤ素子２０からの光に励起されることで、主発光波長が緑色の波長領域（約５００ｎｍ〜約５７０ｎｍ）に存する光を発する緑色蛍光体とされる。第２の蛍光体は、ＬＥＤ素子２０からの光に励起されることで、主発光波長が赤色の波長領域（約６００ｎｍ〜約７８０ｎｍ）に存する光を発する赤色蛍光体とされる。具体的には、緑色蛍光体（第１の蛍光体）としては、サイアロン系蛍光体の一種であるβ−ＳｉＡｌＯＮを用いるのが好ましく、また赤色蛍光体（第２の蛍光体）としては、カズン系蛍光体の一種であるカズンを用いるのが好ましい。なお、β−ＳｉＡｌＯＮは、その発光光の主発光波長が例えば約５４０ｎｍ程度とされるのに対し、カズンは、その発光光の主発光波長が例えば約６５０ｎｍ程度とされる。
【００３９】
従って、このＬＥＤ１７は、ＬＥＤ素子２０から発せられる青色光（青色成分の光）と、第１の蛍光体である緑色蛍光体から発せられる緑色光（緑色成分の光）と、第２の蛍光体である赤色蛍光体から発せられる赤色光（赤色成分の光）とにより、全体として概ね白色の光を発することが可能とされている。このような構成によれば、仮に蛍光体として、緑色蛍光体及び赤色蛍光体に代えて黄色光を発する黄色蛍光体を用いることで、白色光を発する構成とした場合に比べると、緑色光及び赤色光における発光強度を高くすることができ、もって出射光における演色性の点で優れる。このＬＥＤ１７における出射光の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ１７における出射光の色度を調整することが可能とされる。
【００４０】
基板部２２は、表面が光の反射性に優れた白色を呈するセラミック材料または合成樹脂材料（例えばポリアミド系樹脂材料）からなる。基板部２２は、ＬＥＤ基板１８における実装面１８ａに並行する板状をなしており、ＬＥＤ素子２０が実装される面側とは反対側の板面がＬＥＤ基板１８の実装面１８ａに取り付けられている。基板部２２は、平面に視て略正方形状をなしている（図６を参照）。そして、この基板部２２上には、ＬＥＤ素子２０が複数、具体的には２つが所定の間隔を空けて並んで配されている。２つのＬＥＤ素子２０は、共に基板部２２の板面における中心から外れた位置（偏心した位置）にそれぞれ配されており、詳しくは平面に視て基板部２２の中心を通る直線上に配されるとともに、基板部２２の中心に関して点対称状の配置とされる。これら２つのＬＥＤ素子２０は、図６に示すように、平面に視て全体としてＬＥＤ素子２０の並び方向に沿って細長い長手状をなしており、長手状の発光体２３を構成している、と言える。この発光体２３の長さ方向（Ｙ軸方向）が、２つのＬＥＤ素子２０の並び方向と一致しており、２つのＬＥＤ素子２０の並び方向と直交する方向（Ｘ軸方向）が、発光体２３の幅方向と一致している。
【００４１】
続いて、ＬＥＤ１７の配光分布について図１１を用いて説明する。図１１では、横軸をＬＥＤ１７の光軸（正面方向）に対する角度（単位は「度」）とし、縦軸を発光強度（任意単位）としている。また、「発光強度」の具体的な単位は、例えば、放射輝度（Ｗ／ｓｒ・ｍ２）、放射束（Ｗ）、放射照度（Ｗ／ｍ２）などとすることができ、それ以外の放射量に関する物理量とすることも可能である。なお、図１１における実線は、ＬＥＤ１７を、ＬＥＤ素子２０の並び方向（発光体２３の長さ方向、広角方向、Ｙ軸方向）に沿って切断した断面に関する配光分布であるのに対し、図１１における破線は、ＬＥＤ１７を、ＬＥＤ素子２０の並び方向と直交する方向（発光体２３の幅方向、狭角方向、Ｘ軸方向）に沿って切断した断面に関する配光分布である。このＬＥＤ１７の配光分布は、図１１に示すように、上記したＬＥＤ素子２０の配置、言い換えると発光体２３の平面形状に起因して異方性を有している。すなわち、ＬＥＤ１７の発光光のうち、２つのＬＥＤ素子２０の並び方向（発光体２３の長さ方向）に沿って進行する光は、図１１の実線に示すように、他の方向に沿って進行する光に比べて有効発光範囲、つまり一定以上の輝度が得られる発光光の拡散角度範囲が最も広くなっている。この有効発光範囲（拡散角度範囲）が最も広くなる光の進行方向が、広角方向とされており、ＬＥＤ素子２０の並び方向（発光体２３の長さ方向）と一致している。ＬＥＤ１７の配光分布は、広角方向について略対称状をなしている。一方、ＬＥＤ１７の発光光のうち、２つのＬＥＤ素子２０の並び方向と直交する方向（発光体２３の幅方向）に沿って進行する光は、図１１の破線に示すように、他の方向に沿って進行する光に比べて有効発光範囲、つまり一定以上の輝度が得られる発光光の拡散角度範囲が最も狭くなっている。この有効発光範囲（拡散角度範囲）が最も狭くなる光の進行方向が、狭角方向とされており、ＬＥＤ素子２０の並び方向と直交する方向（発光体２３の幅方向）と一致している。ＬＥＤ１７の配光分布は、狭角方向について略対称状をなしている。ＬＥＤ１７の配光分布における広角方向と狭角方向とは、互いに直交する関係にある。
【００４２】
上記のように配光分布に異方性を有するＬＥＤ１７をバックライト装置１２に用いるに際して、ＬＥＤ１７の実装性を担保すべく、全てのＬＥＤ１７について互いに配光分布が揃う姿勢、つまり同一の取付向きとすると、シャーシ１４の光出射部１４ｂからの出射光に係る輝度分布にムラが生じることが懸念される。なお、本実施形態では、各ＬＥＤ１７は、図６に示すように、発光体２３の長さ方向（ＬＥＤ素子２０の並び方向）がＹ軸方向と一致し、発光体２３の幅方向がＸ軸方向と一致する姿勢でＬＥＤ基板１８に実装されるとともにシャーシ１４内に収容されている。そこで、本実施形態では、図７に示すように、シャーシ１４の光出射部１４ｂを覆う形で配される面状光学部材１５によってＬＥＤ１７からの光に、ＬＥＤ１７に係る配光分布を補完するよう相補的な光学作用を付与して光を出射させるようにしている。具体的には、面状光学部材１５のうちの付形拡散板１５ａには、ＬＥＤ１７からの光のうち発光体２３の幅方向（配光分布における狭角方向、ＬＥＤ素子２０の並び方向と直交する方向）に進行する光に対して選択的に集光作用を付与するプリズム部（選択性集光部）２５が設けられている。以下、付形拡散板１５ａの詳しい構成について説明する。
【００４３】
付形拡散板１５ａは、ほぼ透明で透光性に優れた合成樹脂材料（例えばポリカーボネイトやアクリル）からなり、図９及び図１０に示すように、ＬＥＤ１７からの光を拡散させる光拡散性基材部２４と、光拡散性基材部２４の表面に形成されるとともにＬＥＤ１７からの光に発光体２３の幅方向について選択的に集光作用を付与するプリズム部２５とを有してなるものとされる。光拡散性基材部２４は、所定の厚みを持つ板状をなしていて、その内部に光を拡散させることが可能な拡散粒子を多数分散配合した構成とされている。光拡散性基材部２４内には、多数の拡散粒子がランダムに分散されているので、ＬＥＤ１７からの光を概ね等方的（無指向的）に拡散反射させることができる。従って、ＬＥＤ１７からの光が光拡散性基材部２４を透過した段階では、拡散粒子によって光が拡散されているものの、ＬＥＤ１７の配光分布における異方性については依然として残存したままとなっている。
【００４４】
一方、プリズム部２５は、図７及び図９に示すように、光拡散性基材部２４における表側（光出射側、ＬＥＤ１７との対向面とは反対側）の板面に形成されており、ＬＥＤ１７における発光体２３の長さ方向（Ｙ軸方向、ＬＥＤ素子２０の並び方向、広角方向）に沿って延在するプリズム２６を、発光体２３の幅方向（Ｘ軸方向、ＬＥＤ素子２０の並び方向と直交する方向、狭角方向）に沿って多数並列配置してなるものとされる。プリズム２６は、Ｘ軸方向に沿って切断した断面形状が略三角形の山型をなすとともに、Ｙ軸方向に沿って直線的に延在してＹ軸方向について付形拡散板１５ａの全長にわたる長さの突条からなる。プリズム２６は、Ｘ軸方向及びＺ軸方向の双方に対して傾斜した傾斜面２６ａを一対有しており、これらの傾斜面２６ａによってＬＥＤ１７からの光を反射または屈折させることで、光に集光作用を付与することができる。なお、プリズム２６における頂角、つまり一対の傾斜面２６ａがなす角度は、例えば９０度〜１１０度の範囲とされ、特に９０度程度とされるのが好ましい。詳しくは、ＬＥＤ１７からの光がプリズム２６の傾斜面２６ａに達したとき、入射角が臨界角に満たない光については、入射角及び付形拡散板１５ａの屈折率によって導き出される屈折角にて傾斜面２６ａによって屈折されつつ出射されるのに対し、入射角が臨界角を超える光については、傾斜面２６ａによって全反射される。このうち、前者の傾斜面２６ａにより屈折された光については、入射時よりも正面方向に向けて進行するよう立ち上げられるので、Ｘ軸方向についてＬＥＤ１７からの光を集光することができる。従って、この付形拡散板１５ａにおけるプリズム部２５の集光方向は、プリズム２６の幅方向（プリズム２６の長さ方向と直交する方向、複数のプリズム２６の並び方向、発光体２３の幅方向、狭角方向）と一致していると言える。その一方で、Ｙ軸方向については、プリズム部２５によってＬＥＤ１７からの光が集光されることがないので、プリズム部２５の非集光方向は、プリズム２６の長さ方向（複数のプリズム２６の並び方向と直交する方向、発光体２３の長さ方向、広角方向）と一致していると言える。なお、傾斜面２６ａによって全反射された光については、裏側に戻されて光拡散性基材部２４にて拡散反射されるなどして再びプリズム２６の傾斜面２６ａへと向かうことでいずれは傾斜面２６ａによって屈折されつつ外部へと出射されるようになっている。つまり、この付形拡散板１５ａでは、ＬＥＤ１７からの光の一部を全反射して再利用することで、出射光に係る輝度をより高いものとすることができる。
【００４５】
続いて、付形拡散板１５ａのうちＬＥＤ１７と同心状をなす部分からの出射光に係る輝度分布（配光分布）について図１２を参照しつつ説明する。図１２では、横軸を付形拡散板１５ａのＬＥＤ１７と同心状をなす部分における正面方向（付形拡散板１５ａからＺ軸方向に沿って表側に向かう方向）に対する角度（単位は「度」）とし、縦軸を発光強度（任意単位）としている。また、「発光強度」の具体的な単位は、例えば、放射輝度（Ｗ／ｓｒ・ｍ２）、放射束（Ｗ）、放射照度（Ｗ／ｍ２）などとすることができ、それ以外の放射量に関する物理量とすることも可能である。なお、図１２における実線は、付形拡散板１５ａをＸ軸方向（発光体２３の幅方向、狭角方向）に沿って切断した断面に関する輝度分布であるのに対し、図１２における二点鎖線は、比較例であるプリズム部２５を有さない構成（光透過性基材部のみからなる構成）の拡散板をＸ軸方向に沿って切断した断面に関する輝度分布である。この付形拡散板１５ａのうちＬＥＤ１７と同心状をなす部分からの出射光における集光方向（Ｘ軸方向）についての輝度分布は、図１２の実線に示すように、水平方向（角度：±９０度）から所定の角度範囲においては、プリズム部２５によって出射光が正面方向へと立ち上げられることで出射光の輝度（発光強度）が二点鎖線で示す比較例よりも低下しているのに対して、正面方向（角度：０度）から所定の角度範囲においては、プリズム部２５の集光作用によって出射光の輝度が比較例よりも向上している。従って、例えば実線と二点鎖線との交点から比較例（二点鎖線）のピーク点までの間に輝度の基準値をとったとき、この基準輝度値を超える輝度が得られる角度範囲は、付形拡散板１５ａの方が比較例の拡散板よりも広くなっている。つまり、付形拡散板１５ａは、プリズム部２５による集光作用によって、その集光方向（Ｘ軸方向）について一定以上の輝度が得られる出光角度範囲が拡張されている、と言える。なお、比較例の拡散板のピーク輝度値に対する付形拡散板１５ａのピーク輝度値の比率は、例えば１．１〜１．２程度とされる。また、付形拡散板１５ａからの出射光のうち、プリズム部２５による集光作用を受けないＹ軸方向（非集光方向）に沿って進行する光に関する輝度分布は、図１２において二点鎖線に示す輝度分布と概ね同様とされる。
【００４６】
本実施形態は以上のような構造であり、続いてその作用を説明する。液晶表示装置１０を使用するにあたってバックライト装置１２の各ＬＥＤ１７を点灯させると、各ＬＥＤ１７から発せられた光は、図４及び図５に示すように、面状光学部材１５に対して直接的に、または反射シート１９などにて反射されてから間接的に入射し、面状光学部材１５を透過した後、液晶パネル１１へ向けて出射される。
【００４７】
ここで、シャーシ１４内に行列配置された各ＬＥＤ１７は、ＬＥＤ素子２０の配置に起因して配光分布に異方性を有しており、その発光光における有効発光範囲、つまり一定以上の輝度が得られる拡散角度範囲が広角方向では最も広いものの、そこから狭角方向に近づくに連れて次第に狭くなり、狭角方向では最も狭くなっている（図１１を参照）。このため、仮に面状光学部材１５としてプリズム部２５を有さない通常の拡散板を用いた場合には、その拡散板からの出射光の輝度分布は、各ＬＥＤ１７の配光分布がそのまま反映されたものとなり、具体的にはＬＥＤ１７の配光分布における広角方向については出光角度範囲が十分に広いものの、狭角方向については出光角度範囲が狭くなってしまい、結果として出射光の出光角度範囲に偏りが生じて輝度ムラとして視認されることが懸念される。その点、本実施形態では、図７に示すように、面状光学部材１５にプリズム部２５を有する付形拡散板１５ａを含ませ、付形拡散板１５ａによってＬＥＤ１７からの光に、ＬＥＤ１７の配光分布を発光体２３の長さ方向と交差する方向について補完するよう相補的な光学作用を付与するようにしている。これにより、シャーシ１４の光出射部１４ｂからの出射光に係る輝度分布（配光分布）が等方化され、もって出射光に輝度ムラが生じ難くなる。
【００４８】
より具体的には、ＬＥＤ１７から付形拡散板１５ａに入射した光は、図７及び図８に示すように、まず光拡散性基材部２４内において、ランダムに分散配合された多数の拡散粒子によって概ね等方的に拡散反射される。従って、光が光拡散性基材部２４を透過した段階では、拡散粒子によって光の拡散が図られているものの、ＬＥＤ１７の配光分布における異方性については依然として残存したままとなっている。光拡散性基材部２４からプリズム部２５に入射した光は、各プリズム２６における傾斜面２６ａに当たることで屈折または反射される。ここで、各プリズム２６は、図９及び図１０に示すように、Ｙ軸方向に沿って延在していて付形拡散板１５ａの全長にわたる長さを有するとともにＸ軸方向に沿って多数が並ぶ配置とされ、且つＸ軸方向に沿って切断した断面形状が三角形状をなしているから、その傾斜面２６ａによって屈折された光は、図７に示すように、Ｘ軸方向について集光され、入射時よりも正面方向に向けて進行するよう立ち上げられる。そして、プリズム部２５によって集光されつつ表側へ出射される出射光は、その集光方向（Ｘ軸方向）について一定以上の輝度が得られる出光角度範囲が拡張されている（図１２の実線を参照）。この付形拡散板１５ａの集光方向は、ＬＥＤ１７の配光分布において発光光の拡散角度範囲が相対的に狭い狭角方向と一致（並行）していることから、ＬＥＤ１７からの光に付形拡散板１５ａによる集光作用が付与されることで、ＬＥＤ１７の配光分布において不足しがちだった狭角方向に向かう光の輝度（発光強度）が補われるとともに狭くなりがちだった出光角度範囲の拡張が図られている。
【００４９】
一方、付形拡散板１５ａからの出射光のうち、Ｙ軸方向に進行する光については、図８に示すように、付形拡散板１５ａの非集光方向がＹ軸方向、つまりＬＥＤ１７の配光分布において発光光の拡散角度範囲が相対的に広い広角方向と一致（並行）しているため、プリズム部２５による集光作用が殆ど付与されず、その輝度分布は、ＬＥＤ１７における広角方向についての配光分布がほぼそのまま反映されたものとなっている。既述したように、付形拡散板１５ａからの出射光のうちのＸ軸方向（発光体２３の幅方向、ＬＥＤ１７の配光分布における狭角方向）に進行する光は、図７に示すように、付形拡散板１５ａによって拡散角度範囲の拡張が図られていることから、Ｙ軸方向（発光体２３の長さ方向、ＬＥＤ１７の配光分布における広角方向）に進行する光との間に生じ得る拡散角度範囲の差が緩和され、もって出射光の等方化が図られている。以上により、各ＬＥＤ１７における異方性を有する配光分布が補完されるとともに、付形拡散板１５ａからの出射光には、輝度ムラが生じ難くなっている。また、プリズム２６の傾斜面２６ａによって全反射されて裏側に戻された光は、光拡散性基材部２４などにより再度表側へ向けて反射されることで、出射光として利用されるので、出射光の輝度を一層向上させることができる。しかも、付形拡散板１５ａは、シャーシ１４の光出射部１４ｂを覆う形で配されていて、シャーシ１４内に収容された全てのＬＥＤ１７からの光に集光作用を一括して付与するとともに全てのＬＥＤ１７における配光分布を一括して補完していることから、仮にＬＥＤ１７毎に個別に光学部材を設置した場合に比べると、低コスト化を図ることができる。
【００５０】
以上説明したように本実施形態のバックライト装置（照明装置）１２は、光を出射させる光出射部１４ｂを有するシャーシ１４と、シャーシ１４内に収容され、長手状をなす発光体２３を有していて光出射部１４ｂに向けて発せられる光の配光分布に異方性を有するＬＥＤ（光源）１７と、ＬＥＤ１７に対して光出射部１４ｂ側に配され、ＬＥＤ１７からの光に、ＬＥＤ１７に係る配光分布を発光体２３の長さ方向と交差する方向について補完するよう相補的な光学作用を付与して光を出射させる光学部材である付形拡散板１５ａと、を備える。
【００５１】
このようにすれば、シャーシ１４内に収容されたＬＥＤ１７から発せられた光は、光学部材である付形拡散板１５ａにより所定の光学作用を付与された後にシャーシ１４の光出射部１４ｂから外部へと出射される。ＬＥＤ１７は、長手状をなす発光体２３を有しているため、その配光分布に異方性を有しており、発光体２３の長さ方向と交差する方向について発光強度が不足しがちとなっている。これに対し、ＬＥＤ１７から発せられた光には、光学部材である付形拡散板１５ａによってＬＥＤ１７に係る配光分布を発光体２３の長さ方向と交差する方向について補完するよう相補的な光学作用が付与されるので、光出射部１４ｂからの出射光に係る配光分布を等方化することができる。これにより、出射光に輝度ムラが生じ難くすることができる。
【００５２】
また、光学部材である付形拡散板１５ａは、ＬＥＤ１７からの光に発光体２３の長さ方向と交差する方向について選択的に集光作用を付与するプリズム部（選択性集光部）２５を有している。このようにすれば、ＬＥＤ１７から発せられた光のうち発光体２３の長さ方向と交差する方向に向かう光には、光学部材である付形拡散板１５ａが有するプリズム部２５によって選択的に集光作用が付与されてから出射される。この光学部材である付形拡散板１５ａからの出射光のうち発光体２３の長さ方向と交差する方向に向かう光は、集光作用が付与されるのに伴って、一定以上の輝度が得られる出光範囲が拡張されている。これにより、光学部材である付形拡散板１５ａからの出射光のうち発光体２３の長さ方向に向かう光と同長さ方向と交差する方向に向かう光とで、一定以上の輝度が得られる出光範囲に差が生じ難くなり、もって出射光の等方化が図られる。
【００５３】
また、プリズム部２５は、発光体２３の長さ方向に沿って延在する形状とされ且つ複数が発光体２３の長さ方向と直交する方向に沿って並んで配されるプリズム２６からなる。このようにすれば、ＬＥＤ１７からの光のうち発光体２３の長さ方向と交差方向に向かう光には、プリズム部２５である、発光体２３の長さ方向に沿って延在する形状のプリズム２６によって選択的に集光作用が付与される。そして、プリズム部２５を構成するプリズム２６は、発光体２３の長さ方向と直交する方向に沿って複数が並んで配されているから、ＬＥＤ１７からの光をより効率的に集光することができ、それにより出射光に輝度ムラをより生じ難くさせることができる。
【００５４】
また、発光体２３は、その長さ方向に沿って並ぶ複数のＬＥＤ素子（発光素子）２０からなり、プリズム部２５は、ＬＥＤ１７からの光にＬＥＤ素子２０の並び方向と交差する方向について選択的に集光作用を付与している。このようにすれば、発光体２３が複数のＬＥＤ素子２０からなるものとされるから、その発光効率が高くなるとともに放熱設計が容易なものとなる。ＬＥＤ１７から発せられた光のうちＬＥＤ素子２０の並び方向と交差する方向に向かう光には、光学部材である付形拡散板１５ａが有するプリズム部２５によって選択的に集光作用が付与されてから出射される。この光学部材である付形拡散板１５ａからの出射光のうちＬＥＤ素子２０の並び方向と交差する方向に向かう光は、集光作用が付与されるのに伴って、一定以上の輝度が得られる出光範囲が拡張されている。これにより、光学部材である付形拡散板１５ａからの出射光のうちＬＥＤ素子２０の並び方向に向かう光とＬＥＤ素子２０の並び方向と交差する方向に向かう光とで、一定以上の輝度が得られる出光範囲に差が生じ難くなり、もって出射光の等方化が図られる。
【００５５】
また、シャーシ１４は、光出射部１４ｂとは反対側に配される底板１４ａを有しており、ＬＥＤ１７は、底板１４ａの板面内において複数が互いに配光分布を揃えた姿勢で並んで配されている。このようにすれば、底板１４ａの板面内に並んで配される複数のＬＥＤ１７は、互いに配光分布を揃えた姿勢とされているから、仮に姿勢が異なるＬＥＤを含ませた場合に比べると、ＬＥＤ１７の設置に係るコストを低減させることができる。また、複数のＬＥＤ１７が、互いに配光分布を揃えた姿勢とされていても、各ＬＥＤ１７から発せられた光には、光学部材である付形拡散板１５ａによってＬＥＤ１７に係る配光分布を発光体２３の長さ方向と交差する方向について補完するよう相補的な光学作用が付与されるから、光出射光からの出射光が好適に等方化される。
【００５６】
また、シャーシ１４は、光出射部１４ｂとは反対側に配される底板１４ａを有しており、複数のＬＥＤ１７が互いに配光分布を揃えた姿勢で実装されるとともに底板１４ａに沿って延在する形で配されるＬＥＤ基板（光源基板）１８を備えている。このようにすれば、ＬＥＤ基板１８に実装される複数のＬＥＤ１７は、互いに配光分布を揃えた姿勢とされているから、仮に姿勢が異なるＬＥＤ１７を含ませた場合に比べると、ＬＥＤ基板１８に係る製造コストを低減させることができる。また、複数のＬＥＤ１７が、互いに配光分布を揃えた姿勢とされていても、各ＬＥＤ１７から発せられた光には、光学部材である付形拡散板１５ａによってＬＥＤ１７に係る配光分布を発光体２３の長さ方向と交差する方向について補完するよう相補的な光学作用が付与されるから、光出射光からの出射光が好適に等方化される。
【００５７】
また、ＬＥＤ１７は、シャーシ１４内において複数が並んで配されており、光学部材である付形拡散板１５ａは、光出射部１４ｂを覆う形で配される面状光学部材１５とされる。このようにすれば、シャーシ１４内において並んで配された複数のＬＥＤ１７から光出射部１４ｂに向けて発せられた光には、光出射部１４ｂを覆う形で配される面状光学部材１５によって各ＬＥＤ１７に係る配光分布を発光体２３の長さ方向と交差する方向について補完するよう相補的な光学作用が付与されることで、光出射部１４ｂからの出射光に係る配光分布を良好に等方化することができる。面状光学部材１５によってシャーシ１４内の複数のＬＥＤ１７から光に光学作用を付与することができるので、仮に各ＬＥＤ１７毎に個別に光学部材を設置した場合に比べると、低コスト化を図ることができる。
【００５８】
また、面状光学部材１５は、ＬＥＤ１７からの光を拡散させる光拡散性基材部２４と、光拡散性基材部２４の表面に形成されるとともにＬＥＤ１７からの光に発光体２３の長さ方向と交差する方向について選択的に集光作用を付与するプリズム部２５とを有する。このようにすれば、面状光学部材１５が有する光拡散性基材部２４によりＬＥＤ１７からの光を拡散させるとともに、プリズム部２５によりＬＥＤ１７からの光を発光体２３の長さ方向と交差する方向について選択的に集光することで、ＬＥＤ１７からの光には、ＬＥＤ１７に係る配光分布を補完するよう相補的な光学作用が付与される。
【００５９】
また、プリズム部２５は、ＬＥＤ１７からの光を集光させる方向である集光方向と直交する方向に沿って面状光学部材１５の全長にわたって延在するとともに、集光方向に沿って複数が並んで配されるプリズム２６からなる。このようにすれば、各ＬＥＤ１７からの光には、プリズム部２５である、集光方向と直交する方向に沿って延在する形状のプリズム２６によって選択的に集光作用が付与される。そして、プリズム部２５を構成するプリズム２６は、集光方向と直交する方向に沿って面状光学部材１５の全長にわたって延在するとともに、集光方向に沿って複数が並んで配されているから、各ＬＥＤ１７からの光をより効率的に集光することができ、それにより出射光に輝度ムラをより生じ難くさせることができる。
【００６０】
＜実施形態２＞
本発明の実施形態２を図１３によって説明する。この実施形態２では、面状光学部材１１５のうちプリズムシート１１５ｂ２を用いてＬＥＤ１１７の配光分布を補完したものを示す。なお、上記した実施形態１と同様の構造、作用及び効果について重複する説明は省略する。
【００６１】
本実施形態に係る面状光学部材１１５には、図１３に示すように、上記した実施形態１に記載した付形拡散板１５ａに代えて、プリズム部を有さない拡散板２７が含まれている。拡散板２７は、光拡散性基材部１２４のみを有していることから、ＬＥＤ１１７からの光が透過されて得られる出射光には、ＬＥＤ１１７の配光分布における異方性が残存している。これに対し、面状光学部材１１５の光学シート１１５ｂを構成するプリズムシート１１５ｂ２は、ＬＥＤ１１７からの光に、ＬＥＤ１１７に係る配光分布を発光体１２３の長さ方向と交差する方向について補完するよう相補的な光学作用を付与するものとされる。
【００６２】
プリズムシート１１５ｂ２は、ほぼ透明で透光性に優れた合成樹脂材料（例えばポリカーボネイトやアクリル）からなり、ＬＥＤ１１７からの光を透過させる光透過性基材部２８と、光透過性基材部２８の表面に形成されるとともにＬＥＤ１１７からの光に発光体１２３の幅方向について選択的に集光作用を付与するプリズム部２９とを有してなるものとされる。プリズムシート１１５ｂ２の光透過性基材部２８は、厚みが拡散板２７よりも薄く且つ拡散粒子を含有していない点で、上記した実施形態１に記載した付形拡散板１５ａの光拡散性基材部２４とは構成上相違している。プリズムシート１１５ｂ２のプリズム部２９は、上記した実施形態１に記載した付形拡散板１５ａのプリズム部２５と同様の構造とされており、同様の集光作用、つまりＸ軸方向（発光体１２３の幅方向）についてＬＥＤ１１７からの光を集光しつつ出射することでＸ軸方向について出射光に係る出光角度範囲を拡張することができるものとされる。
【００６３】
以上説明したように本実施形態によれば、面状光学部材１１５であるプリズムシート１１５ｂ２は、ＬＥＤ１１７からの光を透過させる光透過性基材部２８と、光透過性基材部２８の表面に形成されるとともにＬＥＤ１１７からの光に発光体１２３の長さ方向と交差する方向について選択的に集光作用を付与するプリズム部２９とを有する。このようにすれば、面状光学部材１１５であるプリズムシート１１５ｂ２が有する光透過性基材部２８によりＬＥＤ１１７からの光を透過させるとともに、プリズム部２９によりＬＥＤ１１７からの光を発光体１２３の長さ方向と交差する方向について選択的に集光することで、ＬＥＤ１１７からの光には、ＬＥＤ１１７に係る配光分布を補完するよう相補的な光学作用が付与される。
【００６４】
＜実施形態３＞
本発明の実施形態３を図１４または図１５によって説明する。この実施形態３では、ＬＥＤ２１７を個別に覆うレンズ部材３０を設置したものを示す。なお、上記した実施形態１と同様の構造、作用及び効果について重複する説明は省略する。
【００６５】
本実施形態に係るＬＥＤ基板２１８には、図１４及び図１５に示すように、ＬＥＤ２１７から発せられた光に拡散作用を付与して出射させるレンズ部材３０が取り付けられている。レンズ部材３０は、ほぼ透明で（高い透光性を有し）且つ屈折率が空気よりも高い合成樹脂材料（例えばポリカーボネートやアクリルなど）からなる。レンズ部材３０は、所定の厚みを有するとともに、平面に視て略真円形状に形成されており、ＬＥＤ基板２１８に対して各ＬＥＤ２１７を表側から個別に覆うよう、つまり平面に視て各ＬＥＤ２１７と重畳するようそれぞれ取り付けられている。レンズ部材３０は、裏側を向き、ＬＥＤ基板２１８（ＬＥＤ２１７）と対向する面がＬＥＤ２１７からの光が入射される光入射面３０ａとされるのに対し、表側を向き、面状光学部材２１５と対向する面が光を出射する光出射面３０ｂとされる。このうち、光入射面３０ａは、全体としてはＬＥＤ基板２１８の板面に並行するものの、平面に視てＬＥＤ２１７と重畳する領域に断面逆Ｖ字型の略円錐状をなす光入射側凹部３０ｃが形成されており、この光入射側凹部３０ｃの傾斜面によってＬＥＤ２１７からの光を広角に屈折させることができる。これに対し、光出射面３０ｂは、扁平な略球面状に形成されており、それにより、出射光を広角に屈折させつつ出射させることが可能とされる。以上により、このレンズ部材３０は、ＬＥＤ２１７から発せられた指向性の強い光を拡散させつつ出射させることができ、拡散レンズであると言える。また、レンズ部材３０は、平面に視てＬＥＤ２１７とほぼ同心となる位置に配されている。このような構成において、レンズ部材３０からの出射光に係る配光分布に異方性が生じていても、付形拡散板２１５ａによる集光作用によって各ＬＥＤ２１７の配光分布を補完することができる。
【００６６】
＜実施形態４＞
本発明の実施形態４を図１６または図１７によって説明する。この実施形態４では、上記した実施形態３に記載したレンズ部材３３０の構造を変更したものを示す。なお、上記した実施形態３と同様の構造、作用及び効果について重複する説明は省略する。
【００６７】
本実施形態に係るレンズ部材（光学部材）３３０は、図１６及び図１７に示すように、その光出射面３３０ｂにプリズム部（選択性集光部）３１が形成されている。このプリズム部３１は、ＬＥＤ３１７における発光体３２３の長さ方向（Ｙ軸方向、ＬＥＤ素子３２０の並び方向、広角方向）に沿って延在するプリズム３２を、発光体３２３の幅方向（Ｘ軸方向、ＬＥＤ素子３２０の並び方向と直交する方向、狭角方向）に沿って多数並列配置してなるものとされる。プリズム３２は、Ｘ軸方向に沿って切断した断面形状が略三角形の山型をなすとともに、Ｙ軸方向に沿って直線的に延在してＹ軸方向についてレンズ部材３３０を全域にわたって横断する突条からなる。プリズム３２は、Ｘ軸方向及びＺ軸方向の双方に対して傾斜した傾斜面３２ａを一対有しており、これらの傾斜面３２ａによってＬＥＤ３１７からの光を反射または屈折させることで、ＬＥＤ３１７からの光にＸ軸方向について選択的に集光作用を付与することができる。このように、本実施形態に係るレンズ部材３３０は、ＬＥＤ３１７からの光を集光して出射させる集光レンズであると言え、各ＬＥＤ３１７毎に個別に設置されたレンズ部材３３０によって各ＬＥＤ３１７の配光分布を個別に補完することができるものとされる。なお、本実施形態に係る面状光学部材３１５には、上記した実施形態１に記載した付形拡散板１５ａに代えて、プリズム部を有さない拡散板３２７が含まれている。この拡散板３２７の構成は、上記した実施形態２に記載した拡散板２７と同様であるから、重複する説明は省略する。
【００６８】
以上説明したように本実施形態によれば、ＬＥＤ３１７は、シャーシ３１４内において複数が並んで配されており、光学部材は、ＬＥＤ３１７を光出射部側から個別に覆う形で配される複数のレンズ部材３３０とされる。このようにすれば、シャーシ３１４内において並んで配された複数のＬＥＤ３１７を、光出射部側から個別に覆う形で配されるレンズ部材３３０によって各ＬＥＤ３１７からの光に、各ＬＥＤ３１７に係る配光分布を発光体３２３の長さ方向と交差する方向について補完するよう相補的な光学作用がそれぞれ付与されることで、光出射部からの出射光に係る配光分布を良好に等方化することができる。
【００６９】
＜実施形態５＞
本発明の実施形態５を図１８または図１９によって説明する。この実施形態５では、上記した実施形態３からレンズ部材４３０の構造を変更したものを示す。なお、上記した実施形態３と同様の構造、作用及び効果について重複する説明は省略する。
【００７０】
本実施形態に係るレンズ部材４３０は、図１８に示すように、平面に視て横長な略楕円形状をなしている。詳しくは、略楕円形状をなすレンズ部材４３０は、その長軸方向がＸ軸方向、つまりＬＥＤ４１７における発光体４２３の幅方向（ＬＥＤ素子４２０の並び方向と直交する方向、狭角方向）と一致し、短軸方向がＹ軸方向、つまりＬＥＤ４１７における発光体４２３の長さ方向（ＬＥＤ素子３２０の並び方向、広角方向）と一致する姿勢で、ＬＥＤ基板に取り付けられている。このレンズ部材４３０は、ＬＥＤ４１７からの光を拡散させつつ出射させる拡散レンズの一種であり、その出射光に係る輝度分布には、平面形状に応じた異方性が存在している。すなわち、このレンズ部材４３０は、光出射面４３０ｂから長軸方向（Ｘ軸方向）に向けて出射させる光量（輝度、発光強度）の方が、短軸方向（Ｙ軸方向）に向けて出射させる光量よりも相対的に多くなっている。これは、レンズ部材４３０が略楕円形状であるため、光出射面４３０ｂのうち長軸方向に向けて光を出射させるのに寄与する部分の面積が、短軸方向に向けて光を出射させるのに寄与する部分の面積よりも相対的に広くなっていることに起因している。従って、このレンズ部材４３０は、出射光の出光角度範囲が光の進行方向によって異なっており、相対的に出光角度範囲が広い広角方向が長軸方向（Ｘ軸方向）と一致し、相対的に出光角度範囲が狭い狭角方向が短軸方向（Ｙ軸方向）と一致している。
【００７１】
このレンズ部材４３０の出射光に係る輝度分布は、図１９に示される通りである。図１９では、横軸をレンズ部材４３０における正面方向に対する角度（単位は「度」）とし、縦軸を発光強度（任意単位）としている。また、「発光強度」の具体的な単位は、例えば、放射輝度（Ｗ／ｓｒ・ｍ２）、放射束（Ｗ）、放射照度（Ｗ／ｍ２）などとすることができ、それ以外の放射量に関する物理量とすることも可能である。なお、図１９における実線は、レンズ部材４３０をＸ軸方向（発光体４２３の幅方向、狭角方向）に沿って切断した断面に関する輝度分布であるのに対し、図１９における二点鎖線は、比較例である平面に視て真円形状とされるレンズ部材（上記した実施形態３に記載したレンズ部材３０と同等のもの）をＸ軸方向に沿って切断した断面に関する輝度分布である。図１９に示される通り、レンズ部材４３０からの出射光のうち、Ｘ軸方向に向かう光は、Ｙ軸方向に向かう光に比べてより広角に拡散されるとともに、その出光に寄与する光出射面４３０ｂの面積がより多くなっているため、水平方向（±９０度）から正面方向（０度）に至る概ね全体にわたって輝度が向上している。従って、一定以上の輝度が得られる角度範囲は、レンズ部材４３０の方が比較例のレンズ部材よりも広くなっている。つまり、レンズ部材４３０は、その拡散作用によって、広角方向（Ｘ軸方向）について一定以上の輝度が得られる出光角度範囲が拡張されている、と言える。また、レンズ部材４３０からの出射光のうち、狭角方向（Ｙ軸方向）に沿って進行する光に関する輝度分布は、図１９において二点鎖線に示す輝度分布と概ね同様とされる。
【００７２】
上記のように出射光に係る輝度分布に異方性を有するレンズ部材４３０は、その輝度分布における広角方向が、ＬＥＤ４１７の配光分布における狭角方向（発光体４２３の幅方向、ＬＥＤ素子４２０の並び方向と直交する方向）と一致し、レンズ部材４３０の輝度分布における狭角方向が、ＬＥＤ４１７の配光分布における広角方向（発光体４２３の長さ方向、ＬＥＤ素子４２０の並び方向）と一致する姿勢でＬＥＤ基板に取り付けられている。従って、ＬＥＤ４１７から発せられた光のうち、その配光分布における狭角方向に向かって進行する光は、レンズ部材４３０によって広角に拡散されることで、狭くなりがちな出光角度範囲が拡張されるので、ＬＥＤ４１７の配光分布における広角方向に向かって進行する光との間に生じ得る出光角度範囲の差が緩和され、もって出射光の等方化及び輝度ムラの緩和が図られている。このように、レンズ部材４３０は、ＬＥＤ４１７からの光に発光体４２３の長さ方向と直交（交差）する方向について選択的に光拡散作用を付与する選択性光拡散構造を有している、と言える。また、本実施形態では、各ＬＥＤ４１７毎に個別に設置されたレンズ部材４３０によって各ＬＥＤ４１７の配光分布を個別に補完することができるものとされる。
【００７３】
＜実施形態６＞
本発明の実施形態６を図２０または図２１によって説明する。この実施形態６では、付形拡散板５１５ａに集光構造としてシリンドリカルレンズ部３３を設けるようにしたものを示す。なお、上記した実施形態１と同様の構造、作用及び効果について重複する説明は省略する。
【００７４】
本実施形態に係る付形拡散板５１５ａには、図２０及び図２１に示すように、凸型のシリンドリカルレンズ３４を多数本備えてなるシリンドリカルレンズ部（選択性集光部）３３が設けられている。つまり、この付形拡散板５１５ａは、いわゆるレンチキュラーレンズシートとなっている。シリンドリカルレンズ部３３を構成するシリンドリカルレンズ３４は、付形拡散板５１５ａの光拡散性基材部５２４における表側の板面において、Ｙ軸方向に沿って延在するとともにＸ軸方向に沿って多数本が並列して配置されている。シリンドリカルレンズ３４は、Ｘ軸方向に沿って切断した断面形状が略半円形状（蒲鉾型）の山型をなすとともに、Ｙ軸方向に沿って直線的に延在してＹ軸方向について付形拡散板５１５ａの全長にわたる長さを有している。このようなシリンドリカルレンズ３４を用いた場合でも、上記した実施形態１と同様の集光作用を得ることができる。
【００７５】
＜実施形態７＞
本発明の実施形態７を図２２から図２５によって説明する。この実施形態７では、ＬＥＤ６１７及び付形拡散板６１５ａの姿勢を変更したものを示す。なお、上記した実施形態１と同様の構造、作用及び効果について重複する説明は省略する。
【００７６】
本実施形態に係るＬＥＤ６１７は、図２２，図２４及び図２５に示すように、その全てについて、発光体６２３の長さ方向（ＬＥＤ素子６２０の並び方向）がＸ軸方向と一致し、発光体６２３の幅方向がＹ軸方向と一致する姿勢でＬＥＤ基板６１８に実装されるとともにシャーシ６１４内に収容されている。従って、本実施形態に係るＬＥＤ６１７の配光分布における広角方向は、Ｘ軸方向と一致し、狭角方向がＹ軸方向と一致していることになる。これに対して、付形拡散板６１５ａは、図２３から図２５に示すように、プリズム部６２５を構成するプリズム６２６がＸ軸方向に沿って延在するとともに、Ｙ軸方向に沿って多数並列配置されている。従って、本実施形態に係る付形拡散板６１５ａは、ＬＥＤ６１７からの光を集光する集光方向がＹ軸方向と一致し、ＬＥＤ６１７からの光を殆ど集光しない非集光方向がＸ軸方向と一致している。このように、本実施形態に係るＬＥＤ６１７及び付形拡散板６１５ａは、その姿勢が上記した実施形態１に記載したものとは平面に視て９０度回動しているが、得られる作用及び効果については実施形態１と同様となっている。
【００７７】
＜実施形態８＞
本発明の実施形態８を図２６から図２８によって説明する。この実施形態８では、ＬＥＤ７１７におけるＬＥＤ素子７２０を変更したものを示す。なお、上記した実施形態１と同様の構造、作用及び効果について重複する説明は省略する。
【００７８】
本実施形態に係るＬＥＤ７１７は、図２６から図２８に示すように、平面に視て細長い長手の方形状をなすＬＥＤ素子７２０（発光体７２３）を１つ有している。このようなＬＥＤ素子７２０を発光体７２３として有するＬＥＤ７１７は、その配光分布に異方性を有しており、有効発光範囲（拡散角度範囲）が最も広い広角方向がＬＥＤ素子７２０の長さ方向と一致し、有効発光範囲が最も狭い狭角方向がＬＥＤ素子７２０の幅方向と一致している。なお、このＬＥＤ７１７の配光分布は、上記した実施形態１に記載したＬＥＤ１７と概ね同様である（図１１を参照）。このＬＥＤ７１７は、ＬＥＤ素子７２０の長さ方向がＹ軸方向と一致し、ＬＥＤ素子７２０の幅方向がＸ軸方向と一致する姿勢でＬＥＤ基板７１８に実装されるとともにシャーシ７１４内に収容されている。このような構成のＬＥＤ７１７を用いた場合でも、付形拡散板７１５ａによって各ＬＥＤ７１７からの光に集光作用を付与することで、各ＬＥＤ７１７の配光分布を補完することができる。
【００７９】
＜実施形態９＞
本発明の実施形態９を図２９によって説明する。この実施形態９では、ＬＥＤ８１７におけるＬＥＤ素子８２０を変更したものを示す。なお、上記した実施形態１と同様の構造、作用及び効果について重複する説明は省略する。
【００８０】
本実施形態に係るＬＥＤ８１７は、図２９に示すように、３つのＬＥＤ素子８２０を有している。３つのＬＥＤ素子８２０は、ＬＥＤ８１７における中心位置と、中心位置に配されたものを挟み込む両側位置とに配されており、全てＬＥＤ８１７の中心を通る直線上に配されるとともに、同中心に関して点対称状の配置とされる。これら３つのＬＥＤ素子８２０は、全て同一の部材とされ、いずれも青色発光タイプとされる。３つのＬＥＤ素子８２０からなる発光体８２３は、全体としてＹ軸方向に沿って細長い長手状をなしている。このようなＬＥＤ素子８２０を発光体８２３として有するＬＥＤ８１７は、その配光分布に異方性を有しており、有効発光範囲（拡散角度範囲）が最も広い広角方向が３つのＬＥＤ素子８２０の並び方向と一致し、有効発光範囲が最も狭い狭角方向が３つのＬＥＤ素子８２０の並び方向と直交する方向と一致している。なお、このＬＥＤ８１７の配光分布は、上記した実施形態１に記載したＬＥＤ１７と概ね同様である（図１１を参照）。
【００８１】
＜実施形態１０＞
本発明の実施形態１０を図３０によって説明する。この実施形態１０では、ＬＥＤ基板９１８を変更したものを示す。なお、上記した実施形態１と同様の構造、作用及び効果について重複する説明は省略する。
【００８２】
本実施形態に係るＬＥＤ基板９１８は、図３０に示すように、平面に視て横長な方形状（短冊状）をなすとともにその長さ方向に沿ってＬＥＤ９１７が直線的に並んで配される構成とされる。このＬＥＤ基板９１８は、シャーシ９１４内においてＸ軸方向及びＹ軸方向にそれぞれ複数ずつ、互いに長さ方向及び幅方向を揃えた状態で並列して配置されている。つまり、ＬＥＤ基板９１８は、シャーシ９１４内においてＸ軸方向を行方向とし、Ｙ軸方向を列方向として行列状に配置されている。具体的には、ＬＥＤ基板９１８は、シャーシ９１４内においてＸ軸方向（行方向）に３枚ずつ、Ｙ軸方向（列方向）に９枚ずつ、合計２７枚が行列状に並列して配置されている。なお、本実施形態では、Ｘ軸方向について隣り合うＬＥＤ基板９１８同士をコネクタ３５により電気的に接続することで、各ＬＥＤ基板９１８への駆動電力の供給が図られている。
【００８３】
＜他の実施形態＞
本発明は上記記述及び図面によって説明した実施形態に限定されるものではなく、例えば次のような実施形態も本発明の技術的範囲に含まれる。
（１）上記した各実施形態では、ＬＥＤの発光体の長さ方向と付形拡散板の非集光方向（実施形態５ではレンズ部材に係る輝度分布の狭角方向）とが一致し、ＬＥＤの発光体の幅方向と付形拡散板の集光方向（実施形態５ではレンズ部材に係る輝度分布の広角方向）とが一致する関係のものを示したが、ＬＥＤの発光体の長さ方向と付形拡散板の非集光方向（実施形態５ではレンズ部材に係る輝度分布の狭角方向）とが０度以上９０度以下の角度でもって交差し、ＬＥＤの発光体の幅方向と付形拡散板の集光方向（実施形態５ではレンズ部材に係る輝度分布の広角方向）とが０度以上９０度以下の角度でもって交差する配置としたものも本発明に含まれる。
【００８４】
（２）上記した各実施形態では、各ＬＥＤに係る配光分布において、広角方向と狭角方向とが直交する関係とされた場合を示したが、各ＬＥＤに係る配光分布において、広角方向と狭角方向とが０度以上９０度以下の角度でもって交差する関係とされたものも本発明に含まれる。
【００８５】
（３）上記した各実施形態では、各ＬＥＤに係る配光分布が広角方向及び狭角方向についてそれぞれ略対称状をなすものを示したが、各ＬＥＤに係る配光分布が広角方向または狭角方向のいずれかの方向について非対称状とされるものも本発明に含まれる。また、各ＬＥＤに係る配光分布が広角方向及び狭角方向についてそれぞれ非対称状とされるものも本発明に含まれる。
【００８６】
（４）上記した各実施形態以外にも、面状光学部材（付形拡散板またはプリズムシート）またはレンズ部材におけるプリズムまたはシリンドリカルレンズの具体的な形状については適宜に変更可能である。具体的には、実施形態１，４においては、プリズムの頂角を図示以外の角度に変更したり、プリズムを非対称形状とすることができる。また、実施形態６においては、シリンドリカルレンズの球面における曲率を図示以外のものに変更することができる。
【００８７】
（５）上記した各実施形態では、プリズム部またはシリンドリカルレンズ部を、面状光学部材またはレンズ部材における表側の面に形成した場合を示したが、プリズム部またはシリンドリカルレンズ部を、面状光学部材またはレンズ部材における裏側の面に形成したものも本発明に含まれる。
【００８８】
（６）上記した各実施形態では、プリズム部またはシリンドリカルレンズ部を、面状光学部材またはレンズ部材に一体形成した場合を示したが、プリズム部またはシリンドリカルレンズ部を、面状光学部材またはレンズ部材の基材とは別部品とし、基材に対して取り付けることで一体化するようにしたものも本発明に含まれる。
【００８９】
（７）上記した各実施形態では、付形拡散板とプリズムシートとレンズ部材とのいずれか１つによって、ＬＥＤの配光分布を補完するようにしたものを示したが、付形拡散板とプリズムシートとレンズ部材とのうちいずれか２つまたは全てを併用して、ＬＥＤの配光分布を補完するようにしても構わない。具体的には、実施形態１，６に記載した付形拡散板と、実施形態２に記載したプリズムシートと、実施形態４，５に記載したレンズ部材とから適宜に２つ以上を重複して使用することが可能である。
【００９０】
（８）上記した実施形態５では、略楕円形状のレンズ部材による異方性を有する拡散作用によってＬＥＤの配光分布を補完するものを示したが、この手法を面状光学部材にも同様に適用することが可能である。
【００９１】
（９）上記した実施形態６では、付形拡散板に選択性集光部としてシリンドリカルレンズ部を設けたものを示したが、このシリンドリカルレンズ部は、実施形態２のプリズムシートや、実施形態４のレンズ部材においても、プリズム部に代えて設けることが可能である。
【００９２】
（１０）上記した実施形態７に記載したＬＥＤと付形拡散板との配置構成は、他の実施形態（実施形態２〜６，８〜１０）にも同様に適用可能である。
【００９３】
（１１）上記した各実施形態では、シャーシ内に収容されるＬＥＤが全て同一の部材とされた場合を示したが、シャーシ内に異なる構造のＬＥＤが混在する構成としたものも本発明に含まれる。その場合、シャーシ内に収容されるＬＥＤに、配光分布に異方性を有するＬＥＤが少なくとも１種類含まれているのであれば、配光分布に等方性を有するＬＥＤが含まれていても構わない。また、シャーシ内にＬＥＤ素子の配置が異なるＬＥＤを複数種類収容したり、蛍光体の種類や配合比率などが異なるＬＥＤを複数種類収容することも可能である。
【００９４】
（１２）上記した各実施形態では、シャーシ内に収容されるＬＥＤ基板が全て同一の部材とされた場合を示したが、シャーシ内に異なる構造のＬＥＤ基板が混在する構成としたものも本発明に含まれる。
【００９５】
（１３）上記した実施形態１，９のようにＬＥＤが複数のＬＥＤ素子を有する場合には、複数のＬＥＤ素子に発光色（主発光波長）が異なるものを含ませることも可能である。具体的には、実施形態９のように３つのＬＥＤ素子を有するＬＥＤでは、赤色光を発光する赤色発光ＬＥＤ素子と、緑色光を発光する緑色発光ＬＥＤ素子と、青色光を発光する青色発光ＬＥＤ素子とを設けるようにしてもよい。
【００９６】
（１４）上記した実施形態１，９のようにＬＥＤが複数のＬＥＤ素子を有するものにおいて、複数のＬＥＤ素子の平面配置を適宜に変更することも可能である。具体的には、実施形態９のように３つのＬＥＤ素子を有するＬＥＤでは、３つのＬＥＤ素子をいずれもＬＥＤの中心から外れた配置とし、中心を取り囲むよう略環状（トライアングル状）に配置することも可能である。
【００９７】
（１５）上記した各実施形態以外にも、ＬＥＤにおける封止材に含有させる蛍光体の種類は適宜に変更可能である。例えば、赤色蛍光体及び緑色蛍光体に加えて、ＬＥＤ素子からの青色光によって黄色光を発光する黄色蛍光体を用いることも可能である。逆に、赤色蛍光体及び緑色蛍光体に代えて黄色蛍光体を用いることも可能である。
【００９８】
（１６）上記した各実施形態では、ＬＥＤがＬＥＤ素子を１個から３個有する場合を示したが、ＬＥＤがＬＥＤ素子を４個以上有する構成としたものも本発明に含まれる。
【００９９】
（１７）上記した各実施形態以外にも、ＬＥＤ基板に実装するＬＥＤの具体的な設置数及び配置、シャーシにおけるＬＥＤ基板の設置数及び配置などは適宜に変更可能である。
【０１００】
（１８）上記した各実施形態では、カラーフィルタの着色部を３色とした場合を示したが、赤色、緑色、青色の３色に黄色を加えて４色の着色部からなるカラーフィルタを備えたものにも本発明は適用可能である。
【０１０１】
（１９）上記した各実施形態では、光源としてＬＥＤを用いたものを示したが、有機ＥＬなどの他の光源を用いることも可能である。
【０１０２】
（２０）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１０３】
（２１）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０４】
（２２）上記した各実施形態では、表示パネルとして液晶パネルを用いた液晶表示装置を例示したが、他の種類の表示パネルを用いた表示装置にも本発明は適用可能である。
【０１０５】
（２３）上記した各実施形態では、チューナーを備えたテレビ受信装置を例示したが、チューナーを備えない表示装置にも本発明は適用可能である。
【符号の説明】
【０１０６】
１０…液晶表示装置（表示装置）、１１…液晶パネル（表示パネル）、１２…バックライト装置（照明装置）、１４，３１４，６１４，７１４，９１４…シャーシ、１４ａ…底板、１４ｂ…光出射部、１５，１１５，２１５，３１５…面状光学部材（光学部材）、１５ａ，２１５ａ，５１５ａ，６１５ａ，７１５ａ…付形拡散板（光学部材、面状光学部材）、１７，１１７，２１７，３１７，４１７，６１７，７１７，８１７，９１７…ＬＥＤ（光源）、１８，２１８，６１８，７１８，９１８…ＬＥＤ基板（光源基板）、２０，３２０，４２０，６２０，７２０，８２０…ＬＥＤ素子（発光素子）、２３，１２３，３２３，４２３，６２３，７２３，８２３…発光体、２４，５２４…光拡散性基材部、２５，６２５…プリズム部（選択性集光部）、２６，６２６…プリズム、２８…光透過性基材部、２９…プリズム部（選択性集光部）、３１…プリズム部（選択性集光部）、３２…プリズム、３３…シリンドリカルレンズ部（選択性集光部）、３４…シリンドリカルレンズ（プリズム）、３３０，４３０…レンズ部材（光学部材）、ＴＶ…テレビ受信装置
【図１】
2013152811.tif 000003
【図２】
2013152811.tif 000004
【図３】
2013152811.tif 000005
【図４】
2013152811.tif 000006
【図５】
2013152811.tif 000007
【図６】
2013152811.tif 000008
【図７】
2013152811.tif 000009
【図８】
2013152811.tif 000010
【図９】
2013152811.tif 000011
【図１０】
2013152811.tif 000012
【図１１】
2013152811.tif 000013
【図１２】
2013152811.tif 000014
【図１３】
2013152811.tif 000015
【図１４】
2013152811.tif 000016
【図１５】
2013152811.tif 000017
【図１６】
2013152811.tif 000018
【図１７】
2013152811.tif 000019
【図１８】
2013152811.tif 000020
【図１９】
2013152811.tif 000021
【図２０】
2013152811.tif 000022
【図２１】
2013152811.tif 000023
【図２２】
2013152811.tif 000024
【図２３】
2013152811.tif 000025
【図２４】
2013152811.tif 000026
【図２５】
2013152811.tif 000027
【図２６】
2013152811.tif 000028
【図２７】
2013152811.tif 000029
【図２８】
2013152811.tif 000030
【図２９】
2013152811.tif 000031
【図３０】
2013152811.tif 000032